(57)【要約】【課題】  洗車中であっても洗車室の内部における風の通り抜けを防ぎ、洗車室の周辺に装備してある洗車用機器に付着等していた水の気化熱による凍結を抑制すること。【解決手段】  車両１の出入口を備えた洗車室１３の周辺に洗車用機器を装備してなる洗車機１０の防風装置において、洗車室１３の天井側に設置され、洗車室１３の内部で洗車中の車両１の上面に合せて昇降動作し、洗車室１３の内部における風の流れを遮断する防風カーテン２０を有してなるもの。【選択図】  図１
2008049912.tif 000002
【特許請求の範囲】
【請求項１】
車両の出入口を備えた洗車室の周辺に洗車用機器を装備してなる洗車機の防風装置において、
洗車室の天井側に設置され、洗車室の内部で洗車中の車両の上面に合せて昇降動作し、洗車室の内部における風の流れを遮断する防風カーテンを有してなることを特徴とする洗車機の防風装置。
【請求項２】
前記車両の車両高さを検出する車両高さ検出装置を有するとともに、
洗車機の車両に対する走行位置を検出する走行位置検出装置を有し、
車両高さ検出装置と走行位置検出装置の検出結果に基づき、前記防風カーテンを車両の上面に合せて昇降動作する洗車制御装置を有する請求項１に記載の洗車機の防風装置。
【請求項３】
前記防風カーテンが、洗車していないとき下降端に位置付けられ、洗車室の内部における風の流れを遮断する請求項１又は２に記載の洗車機の防風装置。
【請求項４】
前記防風カーテンが、洗車中の洗浄水使用行程で車両の上面に合せて昇降動作する請求項１〜３のいずれかに記載の洗車機の防風装置。
【請求項５】
前記防風カーテンが、洗車ブラシと乾燥用エアノズルとの間に設置される請求項４に記載の洗車機の防風装置。
【請求項６】
前記防風カーテンが、洗車中の乾燥行程で車両の上面に合せて昇降動作する請求項１〜５のいずれかに記載の洗車機の防風装置。
【請求項７】
前記防風カーテンが、洗車機の入口から乾燥用エアノズルまでの距離に渡る入口側範囲と、洗車機の出口から乾燥用エアノズルまでの距離に渡る出口側範囲の両範囲のうち、乾燥用エアノズルまでの距離の長い側で、乾燥用エアノズルの側傍に設置される請求項６に記載の洗車機の防風装置。
【発明の詳細な説明】
【技術分野】
【０００１】
本発明は洗車機の防風装置に関する。
【背景技術】
【０００２】
寒冷地で使用される洗車機において、洗車用機器に付着した洗浄水の凍結を防止するため、特許文献１に記載の如く、洗車していないとき、洗車室の開口に設けたカーテンを閉じるとともに、洗車室の内部に熱風を供給することにより、洗車室の内部の雰囲気を加温するものがある。
【特許文献１】特開2002-331920
【発明の開示】
【発明が解決しようとする課題】
【０００３】
特許文献１の洗車室の開口に設けたカーテンは洗車していないときに閉じるものであり、洗車中は開いておく必要がある。これにより、洗車中の洗車室の内部を風（外気の風、又は洗車中の乾燥用エアノズルからの風）が通り抜けると、洗車室の周辺に装備してある洗車用機器に付着等していた水が気化熱により凍結する。水配管の凍結、各種センサの凍結、洗車ブラシの凍結を引き起こし、洗車困難に陥ることがある。
【０００４】
本発明の課題は、洗車中であっても洗車室の内部における風の通り抜けを防ぎ、洗車室の周辺に装備してある洗車用機器に付着等していた水の気化熱による凍結を抑制することにある。
【課題を解決するための手段】
【０００５】
請求項１の発明は、車両の出入口を備えた洗車室の周辺に洗車用機器を装備してなる洗車機の防風装置において、洗車室の天井側に設置され、洗車室の内部で洗車中の車両の上面に合せて昇降動作し、洗車室の内部における風の流れを遮断する防風カーテンを有してなるようにしたものである。
【０００６】
請求項２の発明は、請求項１の発明において更に、前記車両の車両高さを検出する車両高さ検出装置を有するとともに、洗車機の車両に対する走行位置を検出する走行位置検出装置を有し、車両高さ検出装置と走行位置検出装置の検出結果に基づき、前記防風カーテンを車両の上面に合せて昇降動作する洗車制御装置を有するようにしたものである。
【０００７】
請求項３の発明は、請求項１又は２の発明において更に、前記防風カーテンが、洗車していないとき下降端に位置付けられ、洗車室の内部における風の流れを遮断するようにしたものである。
【０００８】
請求項４の発明は、請求項１〜３のいずれかの発明において更に、前記防風カーテンが、洗車中の洗浄水使用行程で車両の上面に合せて昇降動作するようにしたものである。
【０００９】
請求項５の発明は、請求項４の発明において更に、前記防風カーテンが、洗車ブラシと乾燥用エアノズルとの間に設置されるようにしたものである。
【００１０】
請求項６の発明は、請求項１〜５のいずれかの発明において更に、前記防風カーテンが、洗車中の乾燥行程で車両の上面に合せて昇降動作するようにしたものである。
【００１１】
請求項７の発明は、請求項６の発明において更に、前記防風カーテンが、洗車機の入口から乾燥用エアノズルまでの距離に渡る入口側範囲と、洗車機の出口から乾燥用エアノズルまでの距離に渡る出口側範囲の両範囲のうち、乾燥用エアノズルまでの距離の長い側で、乾燥用エアノズルの側傍に設置されるようにしたものである。
【発明の効果】
【００１２】
（請求項１）
(a)洗車室の天井側に設置された防風カーテンが、洗車室の内部で洗車中の車両の上面に合せて昇降動作し、洗車室の内部における風の流れを遮断する。従って、洗車中であっても、洗車室の内部における風（外気の風、又は洗車中の乾燥用エアノズルからの風）の通り抜けを防ぎ、洗車室の周辺に装備してある洗車用機器に付着等していた水の気化熱による凍結を抑制できる。水配管の凍結、各種センサの凍結、洗車ブラシの凍結を防止できる。
【００１３】
（請求項２）
(b)洗車機が車両に対して相対移動するとき、洗車制御装置が、車両高さ検出装置と走行位置検出装置の検出結果に基づき、防風カーテンを車両の上面に合せて昇降動作できる。
【００１４】
（請求項３）
(c)防風カーテンは、洗車していないとき下端側に位置付けられ、洗車室の内部における風の流れを遮断する。従って、洗車していないときにも、洗車室の内部における風（外気の風）の通り抜けを防ぎ、洗車室の周辺に装備してある洗車用機器に付着等していた水の気化熱による凍結を抑制できる。
【００１５】
（請求項４）
(d)防風カーテンは、洗車中の洗浄水使用行程で車両の上面に合せて昇降動作する。従って、洗車機に対する前方又は後方からの外気の風が洗車室の内部を通り抜けるのを防ぐ。特に、洗車ブラシに供給される洗浄水の気化熱による凍結を抑制できる。
【００１６】
（請求項５）
(e)防風カーテンが洗車ブラシと乾燥用エアノズルとの間に設置されることにより、洗車ブラシから飛散する洗浄水が、乾燥用エアノズルによる車両の乾燥域へ及ぶのを防止できる。
【００１７】
（請求項６）
(f)防風カーテンは、洗車中の乾燥行程で車両の上面に合せて昇降動作する。従って、洗車機に対する前方又は後方からの外気の風が洗車室の内部を通り抜けるのを防ぐとともに、洗車中の乾燥用エアノズルからの風が洗車室の内部を通り抜けるのを防ぐ。
【００１８】
（請求項７）
(g)防風カーテンが、洗車機の入口から乾燥用エアノズルまでの距離に渡る入口側範囲と、洗車機の出口から乾燥用エアノズルまでの距離に渡る出口側範囲の両範囲のうち、乾燥用エアノズルまでの距離の長い側で、乾燥用エアノズルの側傍に設置される。従って、乾燥用エアノズルからの風は、洗車室の防風カーテンにより仕切られた、より短い範囲を通って外方へ流れ出し、この風が洗車室の内部に及ぶ範囲をより短くし、この風に起因した気化熱による水の凍結を抑制できる。
【発明を実施するための最良の形態】
【００１９】
図１は洗車機の防風装置を示す模式図、図２は洗車していないときの防風装置を示す模式図、図３は洗車中の洗浄水使用行程の防風装置を示す模式図、図４は洗車中の乾燥行程の防風装置を示す模式図である。
【実施例】
【００２０】
洗車機１０は、図１に示す如く、左右の走行レール上を往復走行することにて両レールの間の床面上に停車させた車両１（図３、図４）を跨いで、車両１の前後方向に沿って走行する門型走行フレーム１１を有する。即ち、走行フレーム１１は、車両１の出入口（入口１２Ａ、出口１２Ｂ）を備え、車両１を収容する洗車室１３を形成する。
【００２１】
洗車機１０は、洗車室１３の周辺に洗車用機器を装備してある。即ち、走行フレーム１１に水配管、洗浄水供給ノズル、各種センサを備える他、洗車ブラシ１４（トップブラシ１４Ａ、サイドブラシ１４Ｂ）、乾燥用エアノズル１５（トップノズル１５Ａ、サイドノズル１５Ｂ）を備える。
【００２２】
洗車機１０は、防風カーテン２０を有する。防風カーテン２０は、洗車室１３の天井側に設置され、後述する洗車制御装置３０により制御されるカーテン巻取装置３１により、洗車室１３の内部で洗車ブラシ１４、乾燥用エアノズル１５を用いて洗車中の車両１の上面に合せて昇降動作され、洗車室１３の内部における風（外気の風、又は洗車中の乾燥用エアノズル１５からの風）の流れを遮断する。
【００２３】
洗車機１０において、防風カーテン２０は、洗浄水供給ノズル及び洗車ブラシ１４と、乾燥用エアノズル１５との間に設置される。また、防風カーテン２０は、洗車機１０の入口１２Ａから乾燥用エアノズル１５までの距離に渡る入口側範囲Ａと、洗車機１０の出口１２Ｂから乾燥用エアノズル１５までの距離に渡る出口側範囲Ｂの両範囲のうち、乾燥用エアノズル１５までの距離の長い側、本実施例では入口側範囲Ａの側で、乾燥用エアノズル１５の側傍に設置される。
【００２４】
洗車機１０は、洗車制御装置３０に付帯する車両高さ検出装置４１、走行位置検出装置４２を有する。車両高さ検出装置４１は、走行フレーム１１に設けられ、例えば車両１を挟む両側にて相対する投光センサ４１Ａと受光センサ４１Ｂからなり、投光センサ４１Ａと受光センサ４１Ｂが上下方向に沿うセンサラインに沿って多数の検出光軸を共有するものにて構成され、投光センサ４１Ａの各検出光軸からの投光が車両１に遮られるか否かを受光センサ４１Ｂで検出することにより、検出ライン上での車両１の有無、ひいては車両１の上面高さを検出する。走行位置検出装置４２は、走行フレーム１１の走行レール上での現在位置を検出するものであり、例えば走行フレーム１１の走行モータに設けたロータリエンコーダにて構成される。洗車制御装置３０は、マイクロコンピュータを備え、車両高さ検出装置４１や走行位置検出装置４２の検出結果を参照して洗車ブラシ１４、乾燥用エアノズル１５等の洗車用機器を制御し、車両１の洗車を行なう。
【００２５】
しかるに、洗車制御装置３０は、車両高さ検出装置４１と走行位置検出装置４２の検出結果に基づいてカーテン巻取装置３１を制御し、防風カーテン２０を以下の如くに昇降動作する（図２〜図４）。尚、図２〜図４の洗車機１０は、図１の洗車機１０と同一であり、洗車ブラシ１４、車両高さ検出装置４１等は図示省略されている。
【００２６】
(A)洗車していないとき（図２）
防風カーテン２０は、洗車していないとき、図２に示す如く、下降端に位置付けられ、洗車室１３の内部における風の流れを遮断する。
【００２７】
(B)洗車中の洗浄水使用行程（図３）
防風カーテン２０は、洗車中の洗浄水供給ノズルと洗車ブラシ１４を用いた洗浄水使用行程で、図３に示す如く、車両１の上面に合せて昇降動作する。即ち、洗車機１０が車両１に対して走行するに従い、防風カーテン２０の設置位置に対応する車両１の上面高さに応じてカーテン巻取装置３１を制御し、防風カーテン２０の下端を車両１の上面に可及的隙間なく合せるように昇降動作する。
【００２８】
(C)洗車中の乾燥行程（図４）
防風カーテン２０は、洗車中の乾燥用エアノズル１５を用いた乾燥行程で、図４に示す如く、車両１の上面に合せて昇降動作する。即ち、洗車機１０が車両１に対して走行するに従い、防風カーテン２０の設置位置に対応する車両１の上面高さに応じてカーテン巻取装置３１を制御し、防風カーテン２０の下端を車両１の上面に可及的隙間なく合せるように昇降動作する。
【００２９】
本実施例によれば以下の作用効果を奏する。
(a)洗車室１３の天井側に設置された防風カーテン２０が、洗車室１３の内部で洗車中の車両１の上面に合せて昇降動作し、洗車室１３の内部における風の流れを遮断する。従って、洗車中であっても、洗車室１３の内部における風（外気の風、又は洗車中の乾燥用エアノズル１５からの風）の通り抜けを防ぎ、洗車室１３の周辺に装備してある洗車用機器に付着等していた水の気化熱による凍結を抑制できる。水配管の凍結、各種センサの凍結、洗車ブラシ１４の凍結を防止できる。
【００３０】
(b)洗車機１０が車両１に対して相対移動するとき、洗車制御装置３０が、車両高さ検出装置４１と走行位置検出装置４２の検出結果に基づき、防風カーテン２０を車両１の上面に合せて昇降動作できる。
【００３１】
(c)防風カーテン２０は、洗車していないとき下端側に位置付けられ、洗車室１３の内部における風の流れを遮断する。従って、洗車していないときにも、洗車室１３の内部における風（外気の風）の通り抜けを防ぎ、洗車室１３の周辺に装備してある洗車用機器に付着等していた水の気化熱による凍結を抑制できる。
【００３２】
(d)防風カーテン２０は、洗車中の洗浄水使用行程で車両１の上面に合せて昇降動作する。従って、洗車機１０に対する前方又は後方からの外気の風が洗車室１３の内部を通り抜けるのを防ぐ。特に、洗車ブラシ１４に供給される洗浄水の気化熱による凍結を抑制できる。
【００３３】
(e)防風カーテン２０が洗車ブラシ１４と乾燥用エアノズル１５との間に設置されることにより、洗車ブラシ１４から飛散する洗浄水が、乾燥用エアノズル１５による車両の乾燥域へ及ぶのを防止できる。
【００３４】
(f)防風カーテン２０は、洗車中の乾燥行程で車両１の上面に合せて昇降動作する。従って、洗車機１０に対する前方又は後方からの外気の風が洗車室１３の内部を通り抜けるのを防ぐとともに、洗車中の乾燥用エアノズル１５からの風が洗車室１３の内部を通り抜けるのを防ぐ。
【００３５】
(g)防風カーテン２０が、洗車機１０の入口１２Ａから乾燥用エアノズル１５までの距離に渡る入口側範囲Ａと、洗車機１０の出口１２Ｂから乾燥用エアノズル１５までの距離に渡る出口側範囲Ｂの両範囲のうち、乾燥用エアノズル１５までの距離の長い側で、乾燥用エアノズル１５の側傍に設置される。従って、乾燥用エアノズル１５からの風は、洗車室１３の防風カーテン２０により仕切られた、より短い範囲を通って外方へ流れ出し、この風が洗車室１３の内部に及ぶ範囲をより短くし、この風に起因した気化熱による水の凍結を抑制できる。
【００３６】
以上、本発明の実施例を図面により詳述したが、本発明の具体的な構成はこの実施例に限られるものではなく、本発明の要旨を逸脱しない範囲の設計の変更等があっても本発明に含まれる。例えば、洗車機１０において、洗車ブラシ１４は高圧水噴射ノズルを用いた高圧水噴射洗浄装置に代えることができ、防風カーテン２０は高圧水噴射洗浄装置と乾燥用エアノズル１５との間に設置できる。
【図面の簡単な説明】
【００３７】
【図１】図１は洗車機の防風装置を示す模式図である。
【図２】図２は洗車していないときの防風装置を示す模式図である。
【図３】図３は洗車中の洗浄水使用行程の防風装置を示す模式図である。
【図４】図４は洗車中の乾燥行程の防風装置を示す模式図である。
【符号の説明】
【００３８】
１  車両
１０  洗車機
１２Ａ  入口
１２Ｂ  出口
１３  洗車室
１４  洗車ブラシ
１５  乾燥用エアノズル
２０  防風カーテン
３０  洗車制御装置
３１  カーテン巻取装置
４１  車両高さ検出装置
４２  走行位置検出装置
【図１】
2008049912.tif 000003
【図２】
2008049912.tif 000004
【図３】
2008049912.tif 000005
【図４】
2008049912.tif 000006